(57)【特許請求の範囲】
【請求項１】
湯を浴槽に供給する給湯管路に流量調節弁、流量カウンタ、および水位センサを設け、前記流量カウンタの検出結果を基に前記流量調節弁の動作を制御ユニットで制御して前記浴槽での湯張り湯量をユーザが設定した湯張り設定湯量に調節すると共に、前記水位センサの検知結果と前記流量カウンタの検出結果とを基に前記流量調節弁の動作を前記制御ユニットで制御して前記浴槽での足し湯湯量を調節する自動ふろ給湯装置であって、
前記制御ユニットは、
前記湯張り設定湯量と該湯張り設定湯量に予め対応付けられた水深の想定量である浴槽深さ想定量とが複数組記憶された記憶部と、
前記湯張り設定湯量と該湯張り設定湯量に対応して前記記憶部に記憶されている浴槽深さ想定量とから求まる浴槽の水平断面積に、前記水位センサの検知結果から求まる前記湯張り完了時から現在までの浴槽の水位差を乗じて前記足し湯湯量を算出し、該足し湯湯量に従って前記流量調節弁の動作を制御する足し湯制御部と、
を有することを特徴とする自動ふろ給湯装置。
【請求項２】
前記足し湯制御部は、前記浴槽の水平断面積と前記水位差とから算出される理論値に補正係数を乗じて前記理論値よりも少ない足し湯湯量を算出し、該算出結果を基に足し湯を行ったときの浴槽の水位が前記湯張り完了時の水位よりも低かったときには、足し湯湯量の算出と足し湯とを繰り返すことを特徴とする請求項１に記載の自動ふろ給湯装置。
【請求項３】
前記足し湯制御部は、前記浴槽の水平断面積と前記水位差とから算出される理論値に補正係数を乗じて前記理論値よりも少ない足し湯湯量を算出し、該算出結果を基に足し湯を行ったときの浴槽の水位が前記湯張り完了時の水位よりも低かったときには、前記補正係数を補正して足し湯湯量の算出と足し湯とを繰り返すことを特徴とする請求項１に記載の自動ふろ給湯装置。
【発明の詳細な説明】
【技術分野】
【０００１】
本発明は、ユーザが設定した湯量の湯張りを自動的に行う自動湯張り機能と、湯の水位が湯張り完了時の水位から所定量低下したときに自動的に足し湯を行う自動足し湯機能とを備えた自動ふろ給湯装置に関するものである。
【背景技術】
【０００２】
自動湯張り機能と自動足し湯機能とを備えた自動ふろ給湯装置では、浴槽への給湯管路に流量カウンタと水位センサとが設けられ、流量カウンタの検出結果を基に浴槽への給湯量が制御されてユーザが設定した湯量の湯張りが自動的に行われる一方で、水位センサによる検知結果を基に浴槽での水位が算出されて定量の水位低下が起きたときには自動的に足し湯が行われる。水位センサは浴槽の底を基準にして水位を検知するものではなく、当該水位センサの取付け位置を基準にして浴槽の水位を検知するものであるので、足し湯を行う際の給湯量すなわち足し湯湯量は、例えば特許文献１に記載された自動ふろ装置におけるように、湯張り完了時の浴槽の水位と現在の水位との差分に浴槽の断面積を乗じることで算出される。
【０００３】
足し湯湯量を算出する際に用いられる浴槽の断面積は、浴槽への給湯量と浴槽での水位変化量とから算出することができる。特許文献１に記載された自動ふろ装置では、初回の湯張り時に浴槽への給湯を複数回に分けて行うと共に各回の給湯時に浴槽の水位を検出し、各回の給湯量とそのときの水位とから浴槽の断面積を算出して記憶している。このようにして浴槽の断面積を求めると、給湯管路に沸き上げ用あるいは出湯温度調節用の水を供給する給水管が接続されていたとしても水源水圧の影響を除去することができる。
【０００４】
【特許文献１】特開２００１−２３５２２４号公報
【発明の開示】
【発明が解決しようとする課題】
【０００５】
しかしながら、特許文献１に記載された自動ふろ装置で浴槽の断面積を求める際に行われる複数回の給湯動作は、ユーザあるいは自動ふろ給湯装置の設置業者が手動で制御するものであり、何回にも分けて浴槽に給湯することは、浴槽への初回の給湯時のみとはいえ、ユーザあるいは自動ふろ給湯装置の設置業者にとって煩雑な作業である。
【０００６】
本発明は上記の事情に鑑みてなされたものであり、簡単な設定で浴槽への湯張りおよび足し湯を初回から自動的に行うことができる自動ふろ給湯装置を得ることを目的とする。
【課題を解決するための手段】
【０００７】
上記の目的を達成する本発明の自動ふろ給湯装置は、湯を浴槽に供給する給湯管路に流量調節弁、流量カウンタ、および水位センサを設け、流量カウンタの検出結果を基に流量調節弁の動作を制御ユニットで制御して浴槽での湯張り湯量をユーザが設定した湯張り設定湯量に調節すると共に、水位センサの検知結果と流量カウンタの検出結果とを基に流量調節弁の動作を制御ユニットで制御して浴槽での足し湯湯量を調節する自動ふろ給湯装置であって、制御ユニットは、湯張り設定湯量と該湯張り設定湯量に予め対応付けられた水深の想定量である浴槽深さ想定量とが複数組記憶された記憶部と、湯張り設定湯量と該湯張り設定湯量に対応して記憶部に記憶されている浴槽深さ想定量とから求まる浴槽の水平断面積に、水位センサの検知結果から求まる湯張り完了時から現在までの浴槽の水位差を乗じて足し湯湯量を算出し、該足し湯湯量に従って流量調節弁の動作を制御する足し湯制御部とを有することを特徴とするものである。
【発明の効果】
【０００８】
本発明の自動ふろ給湯装置では、上記の湯張り設定湯量と浴槽深さ想定量とから浴槽の水平断面積を求めるので、何回にも分けて浴槽に給湯して浴槽の断面積を求めるという作業が不要である。所望の湯張り湯量を指定すれば、初回の使用時から自動的に足し湯が行われる。したがって、本発明によれば簡単な設定で浴槽への湯張りおよび足し湯を初回から自動的に行う自動ふろ給湯装置を得ることができる。
【発明を実施するための最良の形態】
【０００９】
以下、本発明の自動ふろ給湯装置の実施の形態について、図面を参照して詳細に説明する。なお、本発明は以下に説明する実施の形態に限定されるものではない。
【００１０】
実施の形態１．
図１は、本発明の自動ふろ給湯装置の一例を示す概略図である。同図に示す自動ふろ給湯装置５０は、ヒータ等の熱源機１ａを内蔵した貯湯タンク１内で水を湯に沸き上げて貯留し、ここから給湯管路３を介して浴槽６０に給湯する。給湯管路３の一端は貯湯タンク１の頂部に接続されており、他端は浴槽６０に接続されている。
【００１１】
上記の給湯管路３の途中には、一端が浴槽に接続された戻り管５が合流していると共に、水道等の水源に接続された給水管路７の一端が合流している。給水管路７は途中で分岐しており、分岐した給水管路７は貯湯タンク１の下部に接続されて当該貯湯タンク１内に水を供給する。
【００１２】
給湯管路３における給水管路７との合流部には湯水混合弁１１が配置され、その下流側には給湯管路３での湯の流量を調節する流量調節弁１３、給湯管路３での湯の流量を検出する流量カウンタ１７、および給湯管路３内の水圧に基づいて浴槽６０の水位を検知する水位センサ１５がこの順番で配置されている。そして、給湯管路３と戻り管５との合流部には、給湯管路３での湯の温度を検知する温度センサ１９が配置されている。なお、水位センサ１５は浴槽６０の底を基準にして水位を検知するものではなく、当該水位センサ１５の取付け位置を基準にして浴槽６０の水位を検知する。
【００１３】
上述した熱源機１ａ、湯水混合弁１１、および流量調節弁１３の動作を制御してユーザが所望する温度および量の湯を浴槽６０に給湯することができるように、自動ふろ給湯装置５０には制御ユニット４０が設けられている。この制御ユニット４０は、制御部（図示せず）が配置された制御基板３０と、制御部にユーザからの指令を入力する入力部３５とを有しており、入力部３５は制御基板３０に無線、あるいは有線で接続されているリモートコントローラである。
【００１４】
図２は、図１に示した自動ふろ給湯装置での制御ユニットを示す概略図である。同図に示す制御ユニット４０は、ユーザが入力部３５から入力した指令に応じて熱源機１ａ、湯水混合弁１１、および流量調節弁１３の動作を制御する。その際、水位センサ１５の検知結果、流量カウンタ１７の検出結果、および温度センサ１９の検知結果を利用する。上述の制御を行うために、制御基板３０には熱源機駆動部２０、混合弁駆動部２１、流量調節弁駆動部２２、第１ＡＤ（アナログ−ディジタル）変換部２３、パルス検出部２４、第２ＡＤ変換部２５、制御部２６、記憶部２７、および通信回路部２８が設けられている。また、入力部３５には複数の入力ボタン３１と表示部３３とが設けられている。
【００１５】
制御基板３０における上記の熱源機駆動部２０は制御部２６による制御の下に熱源機１ａの動作を制御し、混合弁駆動部２１は制御部２６による制御の下に湯水混合弁１１の動作を制御し、流量調節弁駆動部２２は制御部２６による制御の下に流量調節弁１３の動作を制御する。また、第１ＡＤ変換部２３は水位センサ１５から送られているアナログの検知信号をディジタル信号に変換して制御部２６に送り、パルス検出部２４は流量カウンタ１７から送られてくるパルス信号を検出して検出結果を制御部２６に送り、第２ＡＤ変換部２５は温度センサ１９から送られているアナログの検知信号をディジタル信号に変換して制御部２６に送る。
【００１６】
制御部２６は、沸き上げ制御部２６ａ、湯張り制御部２６ｂ、および足し湯制御部２６ｃを有している。上記の沸き上げ制御部２６ａは、貯湯タンク１内に必要量の湯が貯湯されるように熱源機駆動部２０の動作を制御する。湯張り制御部２６ｂは、第２ＡＤ変換部２５から送られてくる信号を基に温度センサ１９の検知温度を求め、該検知温度と入力部３５からユーザが指定（入力）した湯の設定温度とを基に混合弁駆動部２１の動作を制御して、浴槽６０（図１参照）に湯張りする際の湯温を制御すると共に、パルス検出部２４から送られてくる信号を基に流量カウンタ１７の検出湯量を求め、該検出湯量と入力部３５からユーザが指定（入力）した湯の設定湯量とを基に流量調節弁駆動部２２の動作を制御して、浴槽６０（図１参照）に湯張りする際の湯張り湯量を制御する。足し湯制御部２６ｃは、浴槽６０に足し湯する際の湯温および足し湯湯量を制御する。
【００１７】
記憶部２７には、制御部２６の制御プログラムが予め記憶されている他に、ユーザが入力部３５から指定した湯張り湯量（以下、「湯張り設定湯量」という）と該湯張り設定湯量に対応付けられた湯張り完了時の浴槽６０の水深の想定量である浴槽深さ想定量とが予め複数組記憶されている。さらには、足し湯開始のトリガーとなる水位低下量、すなわち湯張り完了時の水位からの水位低下量とが予め記憶されている。また、入力部３５から入力されて通信回路部２８から制御部２６に送られてきた指令等が記憶される。通信回路部２８は入力部３５に接続されて、当該入力部３５から入力された指令を制御部２６に伝える。
【００１８】
なお、市場には様々な種類の浴槽が存在し、その断面積（水平断面積）もまちまちであるが、満水時の浴槽の水深は、入浴者の座高に合うようにおおよそ５０〜６０ｃｍの範囲にあり、浴槽の深さに関しては浴槽の種類によるバラツキが小さい。湯張り湯量は、通常、満水量の６〜８割程度に設定される。したがって、湯張り完了時の浴槽６０の水深についても浴槽の種類によるバラツキが小さい。
【００１９】
このように構成された制御ユニット４０を有する自動ふろ給湯装置５０（図１参照）では、湯張り制御部２６ｂおよび足し湯制御部２６ｃそれぞれの動作に特徴を有しているので、以下、湯張り制御部２６ｂおよび足し湯制御部２６ｃそれぞれの動作内容について図１または図２で用いた参照符号を適宜引用しつつ図３を参照して説明する。
【００２０】
図３は、図１に示した自動ふろ給湯装置が湯張りおよび足し湯を自動的に行う際の手順の一例を概略的に示すフローチャートである。図示の例では、自動ふろ給湯装置５０がステップＳ１〜Ｓ１２を行って湯張りおよび足し湯を自動的に行う。なお、貯湯タンク１（図１参照）内には既に十分な量の湯が沸き上がっているものとする。
【００２１】
最初に行われるステップＳ１では、ユーザの操作により入力部３５から制御基板３０（図１または図２参照）に湯張り開始を指示する開始指令が出される。この開始指令には、給湯温度および湯張り湯量の各々を指定する指令も含まれている。上記の開始指令を制御基板３０が受けると、湯張り制御部２６ｂ（図２参照）が動作を開始してステップＳ２を行う。このステップＳ２では、湯張り制御部２６ｂが混合弁駆動部２１および流量調節弁駆動部２２（図２参照）それぞれの動作を制御し、結果として湯水混合弁１１および流量調節弁１３（図１および図２参照）それぞれの開度が制御されて、ユーザにより設定された温度の湯の浴槽６０（図１参照）への給湯が開始される。
【００２２】
上記のステップＳ２では、浴槽６０の断面積（水平断面積）も湯張り制御部２６ｂにより算出されて、算出結果が記憶部２７（図２参照）に記憶される。このとき、湯張り制御部２６ｂは、ユーザにより指定された湯張り設定湯量に対応する浴槽深さ想定量、例えば「４５ｃｍ」を記憶部２７から読み出し、湯張り設定湯量Ｑｓと浴槽深さ想定量Ｈｓとから下式（ｉ）により浴槽の水平断面積Ａを算出する。
Ａ＝Ｑｓ÷Ｈｓ      ……（ｉ）
【００２３】
次いで行われるステップＳ３では、パルス検出部２４（図２参照）から送られてくる信号を基に浴槽６０への給湯量が湯張り設定湯量以上になったか否かを湯張り制御部２６ｂが判断する。このステップＳ３で給湯量が湯張り設定湯量未満であると判断されたときには当該ステップＳ３を繰り返し、湯張り設定湯量以上であると判断されたときにはステップＳ４に進んで湯張り制御部２６ｂが流量調節弁駆動部２２の動作を制御し、流量調節弁１３を閉にして給湯を停止させる。
【００２４】
この後、第１ＡＤ変換部２３（図２参照）から送られてくる信号を基に水位センサ１５（図１および図２参照）の検知結果、すなわち湯張り完了時の浴槽６０の水位を湯張り制御部２６ｂが算出し、該算出結果を記憶部２７に記憶させるステップＳ５が行われる。ステップＳ５まで行って湯張りが完了すると、湯張り制御部２６ｂが足し湯制御部２６ｃ（図２参照）に湯張り終了を示す所定の信号を送るステップＳ６が行われる。
【００２５】
足し湯制御部２６ｃは、上記の信号を受けると動作を開始し、足し湯開始のトリガーとなる水位低下量と湯張り完了時の浴槽６０の水位とを記憶部２７から読み出すと共に、第１ＡＤ変換部２３から送られてくる信号を基に現在の浴槽６０の水位を算出し、湯張り完了時の水位と現在の水位との水位差が上記の水位低下量以上であるか否かを判断するステップＳ７を行う。図示の例では、浴槽６０の現在の水位が湯張り完了時の水位から４ｃｍ以上低下したか否かを判断している。このステップＳ７で水位差が４ｃｍ未満であると判断されたときには当該ステップＳ７を繰り返し、４ｃｍ以上であると判断されたときにはステップＳ８に進む。
【００２６】
ステップＳ８では、足し湯制御部２６ｃが足し湯湯量を算出する。足し湯湯量Ｖ０の算出は、ステップＳ２で湯張り制御部２６ｂが算出して記憶部２７に記憶させた浴槽６０の水平断面積Ａと、ステップＳ５で湯張り制御部２６ｂが算出して記憶部２７に記憶させた湯張り完了時の浴槽６０の水位Ｈｃと、ステップＳ７で足し湯制御部２６ｃが算出した現在の浴槽６０の水位Ｈ０とから、下式（ii）により算出される。
Ｖ０＝Ａ×（Ｈｃ−Ｈ０）      ……（ii）
【００２７】
このようにして足し湯湯量Ｖ０を算出し終わるとステップＳ９に進んで、足し湯制御部２６ｃが足し湯動作を開始する。足し湯動作を開始した足し湯制御部２６ｃは、まず、ステップＳ１０で混合弁駆動部２１および流量調節弁駆動部２２それぞれの動作を制御し、結果として湯水混合弁１１および流量調節弁１３それぞれの動作を制御して、ユーザにより設定された温度の湯の浴槽６０への給湯（足し湯）を開始する。
【００２８】
次いで行われるステップＳ１１では、パルス検出部２４（図２参照）から送られてくる信号を基に浴槽６０への給湯量が上記の足し湯湯量Ｖ０以上になったか否かを足し湯制御部２６ｃが判断する。このステップＳ１１で給湯量が足し湯湯量Ｖ０未満であると判断されたときには当該ステップＳ１１を繰り返し、足し湯湯量Ｖ０以上であると判断されたときにはステップＳ１２に進んで足し湯制御部２６ｃが流量調節弁駆動部２２の動作を制御し、流量調節弁１３を閉にして給湯を停止させる。
【００２９】
自動ふろ給湯装置５０（図１参照）は、上述したステップＳ１〜Ｓ１２を行うことで湯張りおよび足し湯を自動的に行う。ユーザが所望の湯張り湯量を入力部３５から指定するだけで、湯張りおよび足し湯を自動的に行わせるための設定が完了する。特許文献１に記載された自動ふろ装置におけるように初回の湯張り時に何回にも分けて浴槽に給湯して浴槽の断面積を求める、という作業が不要である。この自動ふろ給湯装置５０では、簡単な設定で浴槽６０への湯張りおよび足し湯を初回から自動的に行うことができる。
【００３０】
実施の形態２．
本発明の自動ふろ給湯装置には、足し湯を複数回に分けて行う機能を付加することもできる。この場合、１回目の足し湯湯量（初期足し湯湯量）Ｖ０は、湯張り設定湯量Ｑｓ、浴槽深さ想定量Ｈｓ、湯張り完了時の浴槽の水位Ｈｃ、および現在の浴槽の水位Ｈ０から算出される理論値に補正係数η、例えば「０．８」を乗じて当該理論値よりも少なく設定され、足し湯が実行される。実施の形態１で説明した式（ii）は、下式（iii）に変更される。
Ｖ０＝Ａ×（Ｈｃ−Ｈ０）×η      ……（iii）
【００３１】
そして、１回目の足し湯を行った後の浴槽の水位が湯張り完了時の水位よりも低かったときには、１回目と同様にして足し湯湯量の算出と足し湯とを繰り返す。２回目以降の足し湯湯量を算出するにあたっては、その回の足し湯開始時の水位が「現在の浴槽の水位」として用いられる。足し湯を最大何回に分けて行うかは、適宜選定可能である。足し湯の繰り返し回数の上限値は、記憶部に予め格納される。
【００３２】
図４は、上述の機能を付加された自動ふろ給湯装置が湯張りおよび足し湯を自動的に行う際の手順の一例を概略的に示すフローチャートである。図示の例では、自動ふろ給湯装置がステップＳ１〜Ｓ１４を行って湯張りおよび足し湯を自動的に行う。ステップＳ１〜Ｓ１４のうちのステップＳ１〜Ｓ１２は、ステップＳ８で上記式（iii）により初期足し湯湯量を算出する以外は図３に示したステップＳ１〜Ｓ１２と同じであるので説明を省略し、ここでは新たなステップであるステップＳ１３，Ｓ１４について説明する。
【００３３】
上記のステップＳ１３では、足し湯制御部２６ｃが湯張り完了時の水位を記憶部２７から読み出すと共に、第１ＡＤ変換部２３（図２参照）から送られてくる信号を基に当該足し湯制御部２６ｃが水位センサ１５（図１および図２参照）の検知結果、すなわち現在の浴槽６０（図１参照）の水位を算出して、現在の浴槽６０の水位が湯張り完了時の水位未満であるか否かを判断する。現在の浴槽６０の水位が湯張り完了時の水位以上であるときには動作を終了し、湯張り完了時の水位未満であるときにはステップＳ１４に進む。
【００３４】
ステップＳ１４では、湯張り完了時の水位と第１ＡＤ変換部２３からの信号に基づく水位センサ１５の検知結果、すなわち現在の浴槽６０の水位とを基に、足し湯制御部２６ｃが上記（iii）式により足し湯の不足湯量を算出する。そして、不足湯量の算出後に前述のステップＳ１０に戻り、該ステップＳ１０以降を繰り返す。足し湯の繰り返し回数については、適宜上限値を設定することができる。ステップ１４で算出された不足湯量が自動ふろ給湯装置の最小給湯量（例えば５リットル）未満のときには、当該不足湯量を最小給湯量に置き換える機能を足し湯制御部２６ｃに付加することにより、足し湯の繰り返し回数が多くなり過ぎるのを防止することができる。
【００３５】
このようにして足し湯を複数回に分けて行う機能が付加された自動ふろ給湯装置の構成は、足し湯制御部に上述の機能が付加され、かつ記憶部に上述の補正係数ηおよび足し湯の繰り返し回数の上限値が予め格納される以外は、実施の形態１で説明した自動ふろ給湯装置５０（図１参照）と同様の構成とすることができる。この自動ふろ給湯装置は、実施の形態１で説明した自動ふろ給湯装置５０と同様の技術的効果を奏する他に、自動ふろ給湯装置５０と比べても足し湯完了時の浴槽６０の水位を湯張り完了時の浴槽６０の水位に近づけ易い、という技術的効果を奏する。
【００３６】
実施の形態３．
本発明の自動ふろ給湯装置には、足し湯を複数回に分けて行うにあたって足し湯湯量を算出する毎に補正係数を補正する機能を付加することもできる。この場合、１回目の足し湯湯量Ｖ０は例えば前述の式（iii）により算出され、２回目以降の足し湯量は、下式（iv）により補正された補正係数ηを用いて算出される。なお、式（iv）中の「ｎ」は足し湯の回数を示す１以上の整数を表し、「Ｖn-1」は（ｎ−１）回目の足し湯の湯量を表し、「Ｈn」はｎ回目の足し湯を実行した後での浴槽の水位を表し、「Ｈn-1」は（ｎ−１）回目の足し湯を実行した後での浴槽の水位を表し、「Ａ」は前述の式（ｉ）で算出される浴槽の水平断面積を表す。
η＝Ｖn-1÷（Ｈn−Ｈn-1）÷Ａ      ……（iv）
【００３７】
このようにして足し湯を複数回に分けて行う機能が付加された自動ふろ給湯装置の構成は、足し湯制御部に上述の機能が付加され、かつ記憶部に上述の補正係数ηを補正するためのアルゴリズムが予め格納される以外は、実施の形態２で説明した自動ふろ給湯装置と同様の構成とすることができる。この自動ふろ給湯装置は、実施の形態２で説明した自動ふろ給湯装置と同様の技術的効果を奏する他に、実施の形態２で説明した自動ふろ給湯装置に比べても足し湯完了時の浴槽の水位を湯張り完了時の浴槽の水位に近づけ易い、という技術的効果を奏する。
【００３８】
以上、本発明の自動ふろ給湯装置について実施の形態を挙げて説明したが、前述のように、本発明は上述の形態に限定されるものではない。例えば、湯張り制御部に代わって足し湯制御部が浴槽の断面積（水平断面積）を算出するように自動ふろ給湯装置を構成することもできる。また、熱源機として何を用いるかは適宜選択可能である。例えばヒートポンプユニットを熱源機として用いる場合、ヒートポンプユニットは貯湯タンクの外に配置され、貯湯タンクには該貯湯タンク下部からヒートポンプユニットを経て貯湯タンク上部に戻る循環管路が設けられる。本発明については、上述したもの以外にも種々の変形、修飾、組み合わせ等が可能である。
【産業上の利用可能性】
【００３９】
本発明の自動ふろ給湯装置は、家庭用や業務用の浴槽に自動的に湯張りおよび足し湯を行うための装置として好適である。
【図面の簡単な説明】
【００４０】
【図１】本発明の自動ふろ給湯装置の一例を示す概略図である。
【図２】図１に示した自動ふろ給湯装置での制御ユニットを示す概略図である。
【図３】図１に示した自動ふろ給湯装置が湯張りおよび足し湯を自動的に行う際の手順の一例を概略的に示すフローチャートである。
【図４】本発明の自動ふろ給湯装置のうちで足し湯を複数回に分けて行う機能を付加されたものが湯張りおよび足し湯を自動的に行う際の手順の一例を概略的に示すフローチャートである。
【符号の説明】
【００４１】
１  貯湯タンク
１ａ  熱源機
３  給湯管路
１１  湯水混合弁
１３  流量調節弁
１５  水位センサ
１７  流量カウンタ
１９  温度センサ
２６  制御部
２６ａ  沸き上げ制御部
２６ｂ  湯張り制御部
２６ｃ  足し湯制御部
２７  記憶部
３０  制御基板
３５  入力部
４０  制御ユニット
５０  自動ふろ給湯装置
【図１】
0005127487.tif 000002
【図２】
0005127487.tif 000003
【図３】
0005127487.tif 000004
【図４】
0005127487.tif 000005